(57)【特許請求の範囲】
【請求項１】
少なくとも一部に凸状に膨出した膨出部を有する女性用衣料において、
前記女性用衣料の膨出部を構成する表面側素材及び当該表面側素材の裏面側に位置するパッド状部材のうち、少なくともパッド状部材は、その一部が側方に延設されて、膨出部と身頃部の一部とが一体的に形成され、
前記女性用衣料の表面側素材及びパッド状部材は、モールド成形によって所定の膨出形状に形成されるとともに、前記表面側素材は、その膨出部の輪郭部が滑らかな曲面に形成され、
しかも前記パッド状部材の身頃部には、当該パッド状部材の一部の圧縮率を他の部分に対して高く設定し、前記パッド状部材の一部の素材特性を他の部分と異ならせるか、又はパッド状部材の一部に材質の異なるシート状部材を積層して、ボーン機能が内蔵され、
前記女性用衣料の表面側素材とパッド状部材は、縫着線が膨出部の表面に現われないように互いに縫着されるとともに、膨出部の輪郭が強調されることをなくすことでファッション性を付与したことを特徴とする女性用衣料。
【請求項２】
前記パッド状部材の身頃部に、当該パッド状部材の一部の圧縮率を他の部分に対して高く設定し、前記パッド状部材の一部の素材特定を他の部分と異ならせることにより、ボーン機能を内蔵させた女性用衣料において、
前記女性用衣料のパッド状部材は、その膨出部の端縁部を、他の部分に対して相対的に厚肉に形成し、当該厚肉に形成されて素材の圧縮率を高めたことを特徴とする請求項１に記載の女性用衣料。
【発明の詳細な説明】
【０００１】
【発明の属する技術分野】
この発明は、アウターとして表現できるブラジャーやガードル等のファンデーション機能を有するトップ（ブラジャー付スリップ）やボトム等の女性用衣料に関し、更には、ドレス等のアウター、水着、リゾートウエア、ホームウエア、アンダーウエア等、又はトップとボトムが一体化されたボディスーツ、レオタード、ワンピースタイプの水着等の女性用衣料に関するものである。
【０００２】
【従来の技術】
従来、この種のブラジャーやガードル等の女性用衣料は、バストやヒップなどの形を整えたり、プロポーションを美しく見せるため、ブラジャー１００等の表面側及び裏面側を構成する布片等の各素材１０１、１０２を、図２０に示すように、バストの外形に略沿った形状にそれぞれ裁断（カット）するとともに、図２１に示すように、所定の形状にモールド成形し、これらのブラジャー１００等の表面側及び裏面側を構成する布片１０１、１０２とバストパッド１０３とを積層した状態で、図２２に示すように、上端縁及び下端縁にバイヤステープ１０４を縫着するとともに、被覆されたワイヤーボーン１０５を、バストカップ部１０６の下端縁に沿って縫着することによって構成されている。
【０００３】
その際、上記ブラジャー等の女性用衣料を構成する表面側の布片１０１などは、図２２に示すように、バイヤステープ１０４やワイヤーボーン１０５とともに、バストパッド１０３を介して裏面側を構成する布片１０２と一体的に縫着されて、バストカップ部１０６を所定の形状に仕上げるように構成されている。
【０００４】
【発明が解決しようとする課題】
しかしながら、上記従来技術の場合には、次のような問題点を有している。すなわち、上記従来のブラジャー１００等の女性用衣料の場合には、図２２に示すように、当該ブラジャー１００等の女性用衣料を構成する表面側の布片１０１などが、バイヤステープ１０４やワイヤーボーン１０５とともに、バストパッド１０３を介して裏面側を構成する布片１０２と一体的に縫着されているので、ブラジャー１００等の女性用衣料の裏面側（肌側）に、バイヤステープ１０４やワイヤーボーン１０５等が露出し、凸起が多く肌当たりが悪いという問題点を有していた。
【０００５】
また、上記従来のブラジャー１００等の女性用衣料の場合には、当該ブラジャー１００等の女性用衣料を構成する表面側の布片１０１などが、バイヤステープ１０４やワイヤーボーン１０５とともに、バストパッド１０３を介して裏面側を構成する布片と一体的に縫着されて、バストカップ部１０６を所定の形状に仕上げるように構成されているので、バイヤステープ１０４やワイヤーボーン１０５を縫着するための縫い糸が、バストカップ部１０６の表面に現れてしまうため、外観やファッション性が低下してしまい、アウターとして着用するには適さないという問題点を有していた。
【０００６】
さらに、上記従来のブラジャー１００等の女性用衣料の場合には、当該ブラジャー１００等の女性用衣料を構成する表面側の布片１０１などが、バストパッド１０３を介して裏面側を構成する布片１０２と一体的に縫着されて、バストカップ部１０６を所定の形状に仕上げるように構成されているので、図２３に示すように、略円錐形状のバストカップ部１０６が身頃部１０７とつながる斜線が、平面的に角度を成して交わるため、バストカップ部１０６の輪郭が不本意に強調されてしまい、バストカップ部１０６から身頃部１０７につながる滑らかな曲線を創出することができず、この点からも、外観やファッション性が低下してしまい、アウターとして着用するには適さないという問題点を有していた。
【０００７】
そこで、この発明は、上記従来技術の問題点を解決するためになされたものであり、その目的とするところは、ブラジャー等の女性用衣料の裏面側に、帯状の縁布やワイヤーボーン等が露出することなく、肌当たりが良好で、着用感に優れているとともに、バイヤステープやワイヤーボーンを縫着するための縫い糸が、バストカップ部の表面に現れたり、バストカップ部の輪郭が不本意に強調されてしまうことがなく、外観やファッション性に優れ、アウターとしての着用に適した女性用衣料を提供することにある。
【０００８】
【課題を解決するための手段】
すなわち、請求項１に記載された発明は、少なくとも一部に凸状に膨出した膨出部を有する女性用衣料において、
前記女性用衣料の膨出部を構成する表面側素材及び当該表面側素材の裏面側に位置するパッド状部材のうち、少なくともパッド状部材は、その一部が側方に延設されて、膨出部と身頃部の一部とが一体的に形成され、
前記女性用衣料の表面側素材及びパッド状部材は、モールド成形によって所定の膨出形状に形成されるとともに、前記表面側素材は、その膨出部の輪郭部が滑らかな曲面に形成され、
しかも前記パッド状部材の身頃部には、当該パッド状部材の一部の圧縮率を他の部分に対して高く設定し、前記パッド状部材の一部の素材特性を他の部分と異ならせるか、又はパッド状部材の一部に材質の異なるシート状部材を積層して、ボーン機能が内蔵され、
前記女性用衣料の表面側素材とパッド状部材は、縫着線が膨出部の表面に現われないように互いに縫着されるとともに、膨出部の輪郭が強調されることをなくすことでファッション性を付与したことを特徴とする女性用衣料である。
【００１１】
また、請求項２に記載の発明は、前記パッド状部材の身頃部に、当該パッド状部材の一部の圧縮率を他の部分に対して高く設定し、前記パッド状部材の一部の素材特定を他の部分と異ならせることにより、ボーン機能を内蔵させた女性用衣料において、前記女性用衣料のパッド状部材は、その膨出部の端縁部を、他の部分に対して相対的に厚肉に形成し、当該厚肉に形成されて素材の圧縮率を高めたことを特徴とする請求項１に記載の女性用衣料である。
【００１４】
【発明の実施の形態】
以下に、この発明の実施の形態について図面を参照して説明する。
【００１５】
実施の形態１
図２はこの発明の実施の形態１に係る女性用衣料としてのブラジャーを示すものである。
【００１６】
図２において、１は女性用衣料としてのストラップレスのブラジャーを示すものであり、このブラジャー１は、女性のバストをそれぞれ覆う膨出部としての左右のカップ部２、３を備えている。これらの左右のカップ部２、３は、当該左右のカップ部２、３の側方に設けられる身頃布４、５や、左右のカップ部２、３の下側に必要に応じて設けられる下辺連結布等と一体的に形成されている。上記ブラジャー１は、身頃布４、５の背面側を構成する素材に伸縮性を持たせるとともに、当該身頃布を円筒状に形成することによって、フックやアイ等からなる係止具を使用しないように構成されている。なお、上記ブラジャー１は、身頃布の背面側を構成する素材の両端部に、フックやアイ等からなる図示しない係止具を、縫着等の手段によって取り付けられるように構成しても良い。
【００１７】
上記左右のカップ部２、３は、図１及び図３に示すように、当該カップ部２、３の表面側を構成する素材６と、当該カップ部２、３の裏面側を構成する素材７トから構成されている。なお、上記左右のカップ部２、３は、図４に示すように、当該カップ部２、３の表面側を構成する素材６と、当該カップ部２、３の裏面側を構成する素材７と、これら表面側を構成する素材６と裏面側を構成する素材７との間に介在されたパッド状部材としての乳房パッド８とから構成しても勿論よい。
【００１８】
ところで、この実施の形態に係る女性用衣料では、女性用衣料の膨出部を構成する表面側及び裏面側の素材が、モールド成形によって所定の膨出形状に形成され、前記裏面側の素材にファンデーション機能を付与するとともに、前記表面側の素材にファッション性を付与するように構成されている。
【００１９】
また、この実施の形態では、前記女性用衣料の裏面側の素材は、縫着線が表面に現れないように、表面側の素材と縫着されるように構成されている。
【００２０】
さらに、この実施の形態では、女性用衣料の裏面側の素材は、パッド状の部材からなり、当該パッド状部材の表面側に、必要に応じて、補正機能を持たせたワイヤーボーンが装着されるように構成されている。
【００２１】
また更に、この実施の形態では、前記女性用衣料の表面側の素材は、裏面側の素材に対して略相似形状ではなく、膨出部の輪郭形状が滑らかな曲線を形成するように成形されている。
【００２２】
すなわち、上記ブラジャー１の左右のカップ部２、３は、それぞれ同一の構成を有しているが、ここでは、一方のカップ部２を例にして説明する。
【００２３】
上記ブラジャー１のカップ部２には、図３及び図４に示すように、当該カップ部２の表面側及び裏面側を構成する素材６、７と、このカップ部２と一体的に形成された身頃部４を構成する素材９として、ポリエステル、ナイロン、アセテート等の熱成形性を有する布状片を、所定の形状に裁断（カット）したものが用いられている。なお、上記カップ部２の表面側を構成する素材６は、原則として、成形性並びにフィット性を考慮して選択されるが、これらの条件を満たすものであれば、特に限定されない。
【００２４】
上記カップ部２の表面側及び裏面側を構成する素材６、７は、裏面側の素材７が、女性のバスト形状に応じた形状に裁断（カット）されているのに対して、表面側の素材６は、裏面側の素材７に対して略相似形状ではなく、カップ部２の身頃部４との境目に位置する輪郭形状が滑らかな曲線を形成するように裁断（カット）されている。その結果、上記カップ部２の表面側を構成する素材６は、特に、カップ部２の下端部近傍の形状が、裏面側を構成する素材７よりもある程度大きくなるように形成するのが望ましい。
【００２５】
また、上記の如く所定の形状に裁断されたカップ部２の表面側及び裏面側を構成する素材６、７は、図６及び図７に示すように、それぞれ異なる形状のモールド金型１０、１１を用いて、加熱加圧成形されている。上記カップ部２の裏面側を構成する素材７は、図６に示すように、バスト部の輪郭を明確に仕上げるため、カップ部２の輪郭部１０ａ’、１０ｂ’が明確な角部を形成したモールド金型１０ａ、１０ｂを用いて、加熱加圧成形される。一方、上記カップ部２の表面側を構成する素材６は、図７に示すように、バスト部の輪郭形状に滑らかな曲線を形成するため、カップ部２の輪郭部１１ａ’、１１ｂ’が湾曲した曲面を形成したモールド金型１１ａ、１１ｂを用いて、加熱加圧成形されるようになっている。
【００２６】
なお、上記カップ部２の表面側及び裏面側を構成する素材６、７の特性としては、前者が表面側素材６の特性×後者が裏面側素材７の特性とすると、＜ファッション素材×機能素材＞＜ソフト素材×ハード素材＞＜高伸縮率×低伸縮率＞＜非またはセミ造形性×造形性＞＜シーム無し×シーム有り＞＜ランジェリー及びアウター機能×ファンデーション機能＞＜１−２パターン×複数パターン＞等が考えられる。
【００２７】
従って、上記カップ部２の表面側を構成する素材６は、必ずしもモールドプレス加工を施さなくても、プリーツのように伸びるテクニック素材や、ストッキングのように超伸縮率の高い素材により形成することもできる。
【００２８】
そして、上記の如く所定の形状にモールド成形されたカップ部２の表面側及び裏面側を構成する素材６、７は、図３又は図４に示すように、その上端縁部及び下端縁部が縫着されるが、その際、縫着線が表面に現れないように、互いに縫着されるように構成されている。また、このとき、上記カップ部２の表面側を構成する素材６は、バスト部の輪郭形状が滑らかな曲線を形成するように加熱加圧成形されているので、当該カップ部２の表面側を構成する素材６の下端部や側面部近傍は、裏面側を構成する素材７との間に、間隙Ｇが形成される。
【００２９】
ここで、縫着線が表面に現れないような縫い方としては、例えば、表裏を重ね合わせ縫いした後、表裏を反転する袋縫いや、一辺を袋縫いにし、他の一辺を纏り縫いとするもの、あるいは上縁を袋縫いにし、下縁を本縫い等によるアウター的仕上げをする、更には縁を装飾性を兼ねたテープ（加へテープ）等により仕上げる、また更には共地やサテン地等のバイヤス地にて玉縫いとする方法などがある。
【００３０】
また、上記カップ部２の表面側及び裏面側を構成する素材６、７の間に、乳房パッド８を介在させる場合には、図４に示すように、表面側の素材６の端縁６ａを裏面側の素材７側へ二重に折り返し、当該二重に折り返された表面側の素材６と、裏面側の素材７と、乳房パッド８の上端縁部及び下端縁部が、縫着線１２が表面に現れないように、互いに縫着される。なお、上記カップ部２の上端縁部及び下端縁部の縫着方法としては、図５（ａ）（ｂ）に示すように、加へ方式や玉縁方式としても良い。ここで、加へ方式とは、所定の幅の生地の編み立て又は織りの設計を、当初から双股に織って使用することを前提にテープ状化し、これを双股に織って縫着時に製品の縁をカバーするものである。ブラジャー等の機能を失わないためには、ストレッチ性を有することが望ましい。また、アウターとしての機能を高めるためには、サテン地等、装飾性とステッチが目立たない配慮が望ましい。
【００３１】
なお、上記カップ部２の表面側及び裏面側を構成する素材６、７や、乳房パッド８を、モールド金型を用いて加熱加圧成形する際には、図８に示すように、人体骨格に適合する三次元の湾曲形状とするのが好ましい。更に説明すると、上記カップ部２の表面側及び裏面側を構成する素材６、７や、乳房パッド８は、人体の胸部にフィットするように、三次元的な湾曲形状に形成されており、バストの両サイドに位置する部分が、人体の胸部の側面に沿うように湾曲した形状となっているとともに、カップ部２の下端縁部の一部１３が、人体の胸部の断面形状に沿うように、上方に窪んだ湾曲した形状に形成されている。
【００３２】
さらに、上記カップ部２の表面側及び裏面側を構成する素材６、７の間に、乳房パッド８を介在させる場合であって、図９に示すように、当該乳房パッド８が部分的に肉厚が異なり、バストの補正機能を有している場合には、表面側の素材６を裏面側へ二重に折り返し、裏面側の素材７を設けずに、当該二重に折り返された表面側の素材６と、乳房パッド８の上端縁部及び下端縁部が、縫着線１２が表面に現れないように、直接縫着しても良い。なお、この場合であっても、裏面側の素材７を設けても良いことは勿論である。
【００３３】
また更に、上記カップ部２の表面側及び裏面側を構成する素材６、７の間に、乳房パッド８を介在させ、しかもバスト矯正用のワイヤーボーン１５を用いる場合には、図９（ｃ）に示すように、乳房パッド８の表面側であって、その外周縁の略下端部近傍に、ワイヤーボーン１５を配置することにより、当該ワイヤーボーン１５が人体に当たって装着感を損ねるのを防止することができる。その際、上記乳房パッド８の表面側には、その外周縁の略下端部近傍に、ワイヤーボーン１５を埋設する凹溝１６を形成することにより、ワイヤーボーン１５の形状が外形に響くのを確実に防止できるとともに、当該ワイヤーボーン１５と乳房パッド８が一体となり、バスト矯正効果を一層高めることができる。
【００３４】
上記の如く、上記カップ部２、３には、一般ブラジャーの各機能をデザインすることは当然可能であるが、原則として身頃部４、５と一体化構成にすることから、一般ブラジャーのボーン機能を身頃部４、５に内臓させるラーメン構造とすることができる。
【００３５】
このように、女性用衣料としてのブラジャー１の裏面側に、ワイヤーボーン等が露出することなく、肌当たりが良好で、着用感に優れているとともに、バイヤステープやワイヤーボーン１５を縫着するための縫い糸１２が、バストカップ部２、３の表面に現れたり、バストカップ部２、３の輪郭が不本意に強調されてしまうことがなく、外観やファッション性に優れ、アウターとしての着用に適した女性用衣料としてのブラジャーを提供することができる。
【００３６】
実施の形態２
図１０乃至図１２はこの発明の実施の形態２を示すものであり、この実施の形態２では、パッド状部材として、ワイヤー状の部材を用いるのではなく、パッド状部材を構成する素材を加熱加圧処理する際に、当該パッド状部材を構成する素材の一部の圧縮率を、他の部分に対して高く設定し、前記パッド状部材の一部の素材特性を他の部分と異ならせたり、パッド状部材の一部に材質の異なるシート状部材を積層することによって、パッド状部材を形成するように構成されている。
【００３７】
また、この実施の形態では、例えば、パッド状部材を構成する素材の下辺に位置する端縁部を、他の部分に対して相対的に厚肉に形成し、当該厚肉に形成された素材の加熱加圧処理時の圧縮率を高めることにより、前記乳房パッドの下辺に位置する端縁部の弾性及び剛性の少なくとも一方を、他の部分よりも高く構成したものである。
【００３８】
すなわち、この実施の形態では、図１０に示すように、パッド状部材２０のカップ部２、３以外の部分２０ａを、当該パッド状部材２０を構成する素材の圧縮率を高く設定し、当該部分の剛性を高め、バストの補正力を高めるように構成されている。上記パッド状部材の素材としては、ストレッチ性と弾性を有する素材が望ましく、ストレッチ性と弾性を有するポリウレタン以外に、ラテックス系、エステル系、ポリエチレン系等の他の素材を用いても良い。
【００３９】
また、上記パッド状部材は、図１０に示すように、そのカップ部２、３以外の部分に、合成樹脂フィルム２１を接着等の手段によって積層することにより、当該部分の剛性を高め、バストの補正力を高めるように構成しても良い。
【００４０】
さらに、上記パッド状部材は、図１１に示すように、カップ部２以外の部分全体の剛性を高めるのではなく、カップ部の外周に位置する輪郭部２０ａのみ剛性を高めるように構成しても良い。
【００４１】
また、この実施の形態では、図１２に示すように、パッド状部材２０が、バストをリフト並びに支え且つバストを中央に寄せる補正力を持たせるハード性又は厚みを有するバストアンダーサイド部分２０ａと、前記移動した乳頭部を隆起させる補正力を持たせるセミハード性又は厚みを有する部分２０ｂと、更に人体のセンター上部に移動する乳房容積の移動を妨げず且つチェストラインを構成するソフト又は薄い部分２０ｃとを有するように構成しても良い。
【００４２】
すなわち、この実施の形態２では、図１３に示すように、カップ部２、３の下辺に位置する端縁部全体２０ａを、その圧縮率が最も高く設定して、その弾性及び剛性が高いハードな部分として構成し、当該パッド状部材２０の端縁部２０ａの上部に位置する周縁部分２０ｂを、その圧縮率が次に高く設定して、その弾性及び剛性がやや高いセミハードな部分として構成し、当該パッド状部材７のそれ以外の部分２０ｃを、その圧縮率が低くなるように設定して、その弾性及び剛性が低いソフトな部分として構成されている。
【００４３】
このように、上記カップ部２の裏面側を構成するパッド状部材２０は、ファンデーション機能を発揮するものであるため、当該パッド状部材２０を構成する素材は、バストシルエットを形成する部分、人体へのフィット性を高める部分、更には矯正を司る部分等の領域からなり、この領域を＜編み組織を変える＞＜更には混入糸を変える＞＜発泡体等の芯体を圧縮率の変化により創設する＞等により創設することを基本とするが、極力パターンを省力化することを前提に、パターンの切り替えをして、目的別の素材を複合化して用いるように構成しても良い。
【００４４】
また、上記の如くパッド状部材２０を構成する素材の圧縮率を、段階的に変化させるのではなく、図１２に示すように、均一な厚さのパッド状部材７の表面側に、剛性を高める程度に応じて、合成樹脂製のシート状部材２１を、１層あるいは２層に積層して、当該シート状部材２１が積層されたパッド状部材２０の剛性を、段階的に変化させるように構成しても良い。
【００４５】
その他の構成及び作用は、前記実施の形態１と同様であるので、その説明を省略する。
【００４６】
実施の形態３
図１３はこの発明の実施の形態３を示すものであり、この実施の形態３では、ブラジャー等の女性用衣料の仕上げ処理と、パッド状部材を複数の部材に分割して、これらの複数の部材を互いに縫着して、パッド状部材を構成するように構成されている。
【００４７】
すなわち、この実施の形態３においては、女性用衣料としてのブラジャー１を、図１３（ａ）に示すように、カップ部２の表面側を構成する素材６と、その裏面側に配設されるパッド状部材とから構成しても良いが、この場合には、例えば、表面側を構成する素材６の上端縁６ａは、図１３（ｂ）に示すように、二重に折り返して、パッド状部材３０の上端縁に、縫着線１２が表面側の素材６に現れないように縫着される。また、表面側を構成する素材６の下端縁６ｂは、一重に折り返して、パッド状部材３０の下端縁に、バイヤステープ３１を介して、縫着線１２が表面側の素材６に現れないように縫着される。
【００４８】
また、この実施の形態３においては、パッド状部材３０を複数（図示例では、上下２つ）の部材３０ａ、３０ｂに分割し、これら上下のパッド状部材の素材片３０ａ、３０ｂを、互いに縫着して、その後、更に仕上げプレスを施すことにより、図１４に示すように、乳頭部３２に丸みを持たせると同時に、前記実施の形態２のように、ボーン構造を創設することが可能となる。
【００４９】
なお、上記パッド状部材３０を複数（図示例では、上下２つ）の部材３０ａ、３０ｂに分割し、これら上下のパッド状部材の素材片３０ａ、３０ｂを、互いに縫着してパッド状部材を構成する場合には、図１５及び図１６に示すように、上下の素材片３０ａ、３０ｂを接ぎ線３３、３４を、カップ部２のトップ位置よりやや下方に下げるとともに、上下の素材片３０ａ、３０ｂの接ぎ線３３、３４の長さを、下側の素材片３０ｂの接ぎ線３４よりも、上側の素材片３０ａの接ぎ線３３を長くするように設定する。こうすることによって、上下の素材片３０ａ、３０ｂの縫着部を、図１４及び図１５に示すように、先端を含めて丸みを帯びた形状とすることができ、上下の素材片３０ａ、３０ｂの接ぎ線の長さを互いに等しく設定して、これら上下の素材片を互いに縫着した場合のように、当該上下の素材片の縫着部の先端が、図１７に示すように、鳶口状に尖った形状となって、表着に響くのを防止することができる。
【００５０】
また、この実施の形態３に係る女性用衣料としてのブラジャー１は、例えば、そのカップ部２が、当該カップ部２の表面側を構成する素材６と、その裏面側を構成する素材７とから構成されるか、これら表面側を構成する素材６と裏面側を構成する素材７との間に、図１８に示すように、パッド状の部材を配設して構成されるが、図１９に示すように、パッド状部材の裏面側が、製品としてのブラジャーの裏身頃を構成しても良い。この場合には、パッド状部材の裏面側を二重編にしたり、肌当たりの良い素材をコーテイングするなどすることによって、着用感をアップすることができる。
【００５１】
その他の構成及び作用は、前記実施の形態１と同様であるので、その説明を省略する。
【００５２】
なお、前記実施の形態では、女性用衣料として、ブラジャーに適用した場合について説明したが、これに限定されるわけではなく、この発明は、ガードル等のファンデーション機能を有するボトム等の女性用衣料や、更には、アウター、水着、リゾートウエア、ホームウエア、アンダーウエア等、又はヒップとボトムが一体化されたボディスーツ、レオタード、ワンピースタイプの水着等の女性用衣料に応用することが出来ることは勿論である。
【００５３】
また、図３や図４等に示す実施の形態では、女性用衣料としてのブラジャー等のカップ部２が、上端部まで二重乃至三重に形成した場合について説明したが、裏面側の素材７をカップ部２の途中までとし、カップ部２の上部を１枚の布地で構成しても良い。
【００５４】
【発明の効果】
以上説明したように、この発明によれば、ブラジャー等の女性用衣料の裏面側に、帯状の縁布やワイヤーボーン等が露出することなく、肌当たりが良好で、着用感に優れているとともに、バイヤステープやワイヤーボーンを縫着するための縫い糸が、バストカップ部の表面に現れたり、バストカップ部の輪郭が不本意に強調されてしまうことがなく、外観やファッション性に優れ、アウターとしての着用に適した女性用衣料を提供することができる。
【図面の簡単な説明】
【図１】  図１はこの発明の実施の形態１に係る女性用衣料としてのストラップレスのブラジャーを示す斜視説明図である。
【図２】  図２はこの発明の実施の形態１に係る女性用衣料としてのストラップレスのブラジャーを示す斜視構成図である。
【図３】  図３はこの発明の実施の形態１に係る女性用衣料としてのストラップレスのブラジャーを示す断面構成図である。
【図４】  図４はこの発明の実施の形態１に係る女性用衣料としてのストラップレスのブラジャーを示す断面構成図である。
【図５】  図５はこの発明の実施の形態１に係る女性用衣料としてのストラップレスのブラジャーの端縁部の処理方法を示す構成図である。
【図６】  図６はこの発明の実施の形態１に係るブラジャーの裏面側を構成する素材の成形方法を示す説明図である。
【図７】  図７はこの発明の実施の形態１に係るブラジャーの表面側を構成する素材の成形方法を示す説明図である。
【図８】  図８はこの発明の実施の形態１に係るブラジャーを示す要部説明図である。
【図９】  図９はこの発明の実施の形態１に係るブラジャーの要部を示す構成図である。
【図１０】  図１０はこの発明の実施の形態２に係る女性用衣料としてのストラップレスのブラジャーを示す要部構成図である。
【図１１】  図１１はこの発明の実施の形態２に係る女性用衣料としてのストラップレスのブラジャーを示す要部構成図である。
【図１２】  図１２はこの発明の実施の形態２に係る女性用衣料としてのストラップレスのブラジャーを示す要部構成図である。
【図１３】  図１３はこの発明の実施の形態３に係る女性用衣料としてのストラップレスのブラジャーを示す要部構成図である。
【図１４】  図１４はこの発明の実施の形態３に係るブラジャーのパッド状部材を示す構成図である。
【図１５】  図１５はこの発明の実施の形態３に係るブラジャーを示す側面構成図である。
【図１６】  図１６はこの発明の実施の形態３に係るブラジャーのパッド状部材を示す構成図である。
【図１７】  図１７は従来のブラジャーを示す説明図である。
【図１８】  図１８はこの発明の実施の形態３に係るブラジャーを示す構成図である。
【図１９】  図１９はこの発明の実施の形態３に係るブラジャーを示す構成図である。
【図２０】  図２０は従来のブラジャーを示す構成図である。
【図２１】  図２１は従来のブラジャーを成形する金型を示す構成図である。
【図２２】  図２２は従来のブラジャーを示す構成図である。
【図２３】  図２３は従来のブラジャーの要部を示す説明図である。
【符号の説明】
１：ブラジャー（女性用衣料）、２、３：左右のカップ部（膨出部）、４、５：左右の身頃部、６：カップ部２の表面側を構成する素材、７：カップ部２の裏面側を構成する素材、１０、１１：モールド金型。
【図１】
0004572040.tif 000002
【図２】
0004572040.tif 000003
【図３】
0004572040.tif 000004
【図４】
0004572040.tif 000005
【図５】
0004572040.tif 000006
【図６】
0004572040.tif 000007
【図７】
0004572040.tif 000008
【図８】
0004572040.tif 000009
【図９】
0004572040.tif 000010
【図１０】
0004572040.tif 000011
【図１１】
0004572040.tif 000012
【図１２】
0004572040.tif 000013
【図１３】
0004572040.tif 000014
【図１４】
0004572040.tif 000015
【図１５】
0004572040.tif 000016
【図１６】
0004572040.tif 000017
【図１７】
0004572040.tif 000018
【図１８】
0004572040.tif 000019
【図１９】
0004572040.tif 000020
【図２０】
0004572040.tif 000021
【図２１】
0004572040.tif 000022
【図２２】
0004572040.tif 000023
【図２３】
0004572040.tif 000024